(57)【要約】【課題】カメラモジュールの撮像素子への電磁波の影響を防止すると共に、撮像素子と基板との接着強度を確保することができるカメラモジュールを提供すること。【解決手段】撮像素子５の裏面の略全体には面状のグランド５ａが延在しており、基板６の表面には撮像素子５のグランド５ａと同形状の外形を有すると共に、格子状の形状を有するグランド用ランド６ａが形成されており、基板６のグランド用ランド６ａの面積は撮像素子５のグランド５ａと略同面積であり、基板６のグランド用ランド６ａに対応するように撮像素子５のグランド５ａが基板６のグランド用ランド６ａ上に導電性接着剤によって接着されていることを特徴とする。【選択図】  図１
2007155800.tif 000002
【特許請求の範囲】
【請求項１】
レンズを保持するレンズユニットと、前記レンズユニットの下方に設けられている撮像素子と、前記撮像素子の裏面側に設けられている基板とを有するカメラモジュールであって、
前記撮像素子の裏面の略全体には、面状のグランドが延在しており、
前記基板の表面には、前記撮像素子のグランドと同形状の外形を有すると共に、格子状の形状を有するグランド用ランドが形成されており、
前記基板のグランド用ランドの面積は、前記撮像素子のグランドと略同面積であり、
前記基板のグランド用ランドに対応するように前記撮像素子のグランドが前記基板のグランド用ランド上に導電性接着剤によって接着されていることを特徴とするカメラモジュール。
【請求項２】
前記基板の格子状のグランド用ランドは複数の格子目を有し、前記格子目は前記グランド用ランドの延在範囲に均一に分布していることを特徴とする請求項１記載のカメラモジュール。
【請求項３】
前記撮像素子はＣＭＯＳセンサ又はＣＣＤセンサである請求項１記載のカメラモジュール。
【発明の詳細な説明】
【技術分野】
【０００１】
本発明はカメラモジュールに関し、特に携帯電話機等の電子機器に搭載される比較的小型のカメラモジュールに関する。
【背景技術】
【０００２】
携帯電話機等の電子機器に搭載される比較的小型のカメラモジュールには、その撮像素子としてＣＭＯＳセンサやＣＣＤセンサが使用されている。このような従来のカメラモジュールは、図３に示すような構造を有している。
【０００３】
カメラモジュール１００は、レンズ１０１ａ、１０１ｂと、レンズ１０１ａ、１０１ｂとを有するレンズユニット１０２と、レンズユニット１０２と螺合することによってレンズユニット１０２を保持するホルダ１０３と、ホルダ１０３の底部が接着されているベース１０４と、レンズユニット１０２の下方に配設されると共に、ベース１０４の撮像素子収容空間１０４ａ内に収容されている撮像素子１０５と、撮像素子１０５の裏面側に設けられている基板１０６とを有している。なお、撮像素子１０５は、ＣＭＯＳセンサ又はＣＣＤセンサである。また、基板１０６の表面縁部はベース１０４の底部に接着されている。
【０００４】
撮像素子１０５の裏面には略正方形状の面状のグランド１０５ａが設けられており、また、基板１０６の表面には略正方形状の面状のグランド用ランド１０６ａが設けられている（図４参照）。この基板１０６のグランド用ランド１０６ａは、撮像素子１０５のグランド１０５ａと略同形状であり、その面積も略同等である。
【０００５】
そして、基板１０６のグランド用ランド１０６ａに対応するように撮像素子１０５のグランド１０５ａが基板１０６のグランド用ランド１０６ａ上に導電性接着剤によって接着されている。
【発明の開示】
【発明が解決しようとする課題】
【０００６】
上記のカメラモジュール１００は携帯電話等の電子機器に搭載されることから、カメラモジュール１００が取得する画像が電子機器内部の駆動周波数（クロック）によって影響を受けるという問題点がある。即ち、カメラモジュール１００の撮像素子１０５により取得される画像に当該駆動周波数の電磁波による画像ノイズが発生する場合がある。このようなノイズは、撮像素子１０５が光電変換する電荷量が非常に小さいため基板１０６のグランド用ランド１０６ａが安定した電位を維持しておらず、また、当該駆動周波数の電磁波を十分に遮断できていない場合に発生する。
【０００７】
また、上記のカメラモジュール１００において、基板１０６のグランド用ランド１０６ａは面状のランドであるために、導電性接着剤による接着力が十分に発揮できないという問題点がある。導電性接着剤は樹脂製の基板に対しては十分な接着力があるものの、ランドのような金属に対しては十分な接着力を発揮できないからである。
【０００８】
本発明は上記問題に鑑みなされたもので、カメラモジュールの撮像素子への電磁波の影響を防止すると共に、撮像素子と基板との接着強度を確保することができるカメラモジュールを提供することを目的とする。
【課題を解決するための手段】
【０００９】
本発明に係るカメラモジュールは、レンズを保持するレンズユニットと、前記レンズユニットの下方に設けられている撮像素子と、前記撮像素子の裏面側に設けられている基板とを有するカメラモジュールであって、前記撮像素子の裏面の略全体には、面状のグランドが延在しており、前記基板の表面には、前記撮像素子のグランドと同形状の外形を有すると共に、格子状の形状を有するグランド用ランドが形成されており、前記基板のグランド用ランドの面積は、前記撮像素子のグランドと略同面積であり、前記基板のグランド用ランドに対応するように前記撮像素子のグランドが前記基板のグランド用ランド上に導電性接着剤によって接着されていることを特徴とする。
【００１０】
さらに、本発明に係るカメラモジュールは、前記基板の格子状のグランド用ランドが複数の格子目を有し、前記格子目は前記グランド用ランドの延在範囲に均一に分布していることが好ましい。
【００１１】
さらに、本発明に係るカメラモジュールは、前記撮像素子がＣＭＯＳセンサ又はＣＣＤセンサであることが好ましい。
【発明の効果】
【００１２】
請求項１記載の本発明に係るカメラモジュールは、撮像素子のグランドと同形状の外形を有すると共に、格子状の形状を有するグランド用ランドが基板の表面に形成されており、この基板のグランド用ランドの面積は撮像素子５のグランドと略同面積であることを特徴とする。
【００１３】
このため、グランド用ランドの面積は、当該グランド用ランドが面状であった場合と比較すると減少されている。このようなグランド用ランドは、単位面積あたりの電荷量が増大し、このカメラモジュールが搭載されている携帯電話等の電子機器が発生する駆動周波数の電磁波の影響を受けにくくなる。即ち、グランド用ランドが面状である場合には、グランド用ランド全体に電荷が分散してしまい、電磁波の影響によりグランド用ランドの電位の変化が生じやすいが、単位面積あたりの電荷量を増大させることにより、このような電位の変化を防止することができる。このため、駆動周波数の電磁波による画像ノイズの発生を防止することができる。
【００１４】
さらに、グランド用ランドを格子状とすることにより、ランドが存在しない部分、即ち、格子目の部分において基板の表面が露出している。このため、当該部分においては導電性接着剤の接着力が高くなり、撮像素子をより強力に基板へ接着することができる。このためカメラモジュールの耐衝撃性能を向上することができる。
【００１５】
請求項２記載の本発明に係るカメラモジュールは、格子目がグランド用ランドの延在範囲に均一に分布している。このため、グランド用ランドにおける電荷の偏在が防止され、安定したグランドを提供することができ、駆動周波数の電磁波による撮像素子における画像ノイズの発生をムラなく防止することができる。
【００１６】
また、グランド用ランドにおいて格子目が均一に分布していることから、上述した導電性接着剤の接着力をグランド用ランドの延在範囲において均一に強化することができる。
【発明を実施するための最良の形態】
【００１７】
以下、添付図面を参照しつつ本発明に係る第１実施形態のカメラモジュール１について詳細に説明する。なお、本実施形態のカメラモジュール１は、携帯電話などに搭載されることから、たとえば縦６ｍｍ、横６ｍｍ、高さ４．５ｍｍといった非常に小型の外形寸法を有する。
【００１８】
カメラモジュール１は、レンズ１ａ、１ｂと、レンズ１ａ、１ｂとを有するレンズユニット２と、レンズユニット２と螺合することによってレンズユニット２を保持するホルダ３と、ホルダ３の底部が接着されているベース４と、レンズユニット２の下方に配設されると共に、ベース４の撮像素子収容空間４ａ内に収容されている撮像素子５と、撮像素子５の裏面側に設けられている基板６とを有している。なお、基板６の表面縁部はベース４の底部に接着されている。
【００１９】
そして、撮像素子５の裏面の略全体には面状のグランド５ａが延在しており、基板６の表面には撮像素子５のグランド５ａと同形状の外形を有すると共に、格子状の形状を有するグランド用ランド６ａが形成されており、基板６のグランド用ランド６ａの面積は撮像素子５のグランド５ａと略同面積であり、基板６のグランド用ランド６ａに対応するように撮像素子５のグランド５ａが基板６のグランド用ランド６ａ上に導電性接着剤によって接着されている。
【００２０】
撮像素子５は、ＣＭＯＳセンサ又はＣＣＤセンサであり、その裏面に略正方形状の面状のグランド５ａを有している。
【００２１】
図２に示すように、基板６の表面には略正方形状の外形を有すると共に、格子状のグランド用ランド６ａが設けられている。この基板６のグランド用ランド６ａは、上記撮像素子５のグランド５ａと略同形状であり、その面積も略同等である。
【００２２】
また、基板６のグランド用ランド６ａは、図２に示すように、格子目６ｂによって横方向において１０分割され、また、縦方向において縦１２分割されており、格子目６ｂがグランド用ランド６ａの延在範囲に均一に分布している。
【００２３】
なお、本実施形態において格子目６ｂは正方形状であるが、この形状は限定されず、例えば円形状でも良い。また、格子目６ｂはグランド用ランド６ａの縦方向と横方向のそれぞれに整列して配設されているが、必ずしもこのように整列されている必要はなく、グランド用ランド６ａの延在範囲に均一に分布していれば良い。
【００２４】
撮像素子５は、基板６の表面に導電性接着剤（図示せず）により接着されている。即ち、基板６のグランド用ランド６ａに対応するように撮像素子１０５のグランド５ａが基板６のグランド用ランド６ａ上に接着されている。
【００２５】
以下、本実施形態の作用効果を説明する。
本実施形態のカメラモジュール１は、撮像素子５の裏面の略全体には面状のグランド５ａが延在しており、基板６の表面には撮像素子５のグランド５ａと同形状の外形を有すると共に、格子状の形状を有するグランド用ランド６ａが形成されており、基板６のグランド用ランド６ａの面積は撮像素子５のグランド５ａと略同面積であり、基板６のグランド用ランド６ａに対応するように撮像素子５のグランド５ａが基板６のグランド用ランド６ａ上に導電性接着剤によって接着されている。
【００２６】
上記のように、グランド用ランド６ａの面積は、当該グランド用ランドが面状であった場合と比較すると減少されている。このため、単位面積あたりの電荷量が増大し、このカメラモジュール１が搭載されている携帯電話等の電子機器が発生する駆動周波数の電磁波の影響を受けにくくなっている。即ち、グランド用ランドが面状である場合には、グランド用ランド全体に電荷が分散してしまい、電磁波の影響によりグランド用ランドの電位の変化が生じやすいが、単位面積あたりの電荷量を増大させることにより、このような電位の変化を防止することができる。このため、撮像素子５により取得される画像に対する駆動周波数の電磁波による画像ノイズの発生を防止することができる。
【００２７】
さらに、グランド用ランド６ａを格子状とすることにより、格子目６ｂにおいて基板６の表面が露出している。このため、当該部分においては導電性接着剤の接着力が高くなり、撮像素子５をより強力に基板６へ接着することができる。
【００２８】
また、格子目６ｂはグランド用ランド６ａの延在範囲に均一に分布している。このため、グランド用ランド６ａにおける電荷の偏在が防止され、安定したグランドを提供することができ、駆動周波数の電磁波による撮像素子５における画像ノイズの発生をムラなく防止することができる。
【００２９】
また、格子目６ｂが均一に分布していることから、上述した導電性接着剤の接着力をグランド用ランド６ａの延在範囲において均一に強化することができる。
【図面の簡単な説明】
【００３０】
【図１】本発明に係る第１実施形態のカメラモジュール１の断面図である。
【図２】図１に示すカメラモジュール１の基板６の平面図である。
【図３】従来のカメラモジュール１００の断面図である。
【図４】図３に示すカメラモジュール１００の基板１０６の平面図である。
【符号の説明】
【００３１】
１、１００  カメラモジュール
１ａ、１０１ａ、１ｂ、１０１ｂ  レンズ
２、１０２  レンズユニット
３、１０３  ホルダ
４、１０４  ベース
４ａ、１０４ａ  撮像素子収容空間
５、１０５  撮像素子
５ａ、１０５ａ  グランド
６、１０６  基板
６ａ、１０６ａ  グランド用ランド
６ｂ  格子目
【図１】
2007155800.tif 000003
【図２】
2007155800.tif 000004
【図３】
2007155800.tif 000005
【図４】
2007155800.tif 000006